(57)【特許請求の範囲】
【請求項１】
コイル及び磁性物質で形成されたコア体を備え、
前記コア体は、少なくとも２つの部材、第１部材及び第２部材を備え、前記第１部材は略円柱または略多角柱の支柱部分を有し、該支柱部分の側壁周囲に前記コイルが巻かれ、前記支柱部分のうち一方の頂面が使用時に最も被処置体に近接するよう構成され、該被処置体に近接する方の頂面が略半球状の凹部となっており、
前記第２部材は、略球体または多面体であり、前記多面体は１２以上の面を有し、中心から各頂点までの距離が略一致し、全ての角が鈍角であり、
前記第２部材は、前記第１部材の凹部内に、その一部が第１部材の凹部から被処置体側に露出し、該凹部内で自転可能な状態で装填されている、ことを特徴とする交流磁気治療器。
【請求項２】
さらにケーシングを備え、前記ケーシングは、前記コア体の第２部材の一部が、被処置体に接する面側からケーシング外部に露出するように形成された開口部を有し、前記開口部の最大口径が前記第２部材の最小径より小さい、請求項１に記載の交流磁気治療器。
【請求項３】
前記コア体の第１部材と第２部材との間には、潤滑剤または潤滑シートを有する、請求項１または２に記載の交流磁気治療器。
【請求項４】
前記第１部材、これに巻き回されるコイル、及びこれに装填された第２部材をそれぞれ複数有する、請求項１〜３のいずれか１項に記載の交流磁気治療器。
【発明の詳細な説明】
【技術分野】
【０００１】
本発明は、電磁石を用いた交流磁気治療器に関する。
【背景技術】
【０００２】
従来より、交番磁界を生体に作用させる磁気治療器が使用されている（例えば、特許文献１参照）。このような磁気治療器において、交番磁界は電磁石に交流電流を通電させることにより発生する。一般的にこのような交流磁気治療器は、一般家庭用の１００Ｖの交流電源を利用し、内蔵した複数個の電磁石によって電気的に磁気を発生させ、磁気で被処置体を刺激して、血行不良等に対する治療効果を与える治療器である。その周波数によって、１秒間に５０／６０回極性を変動しながら（５０／６０Ｈｚ）、大きな弧を描いて交互に飛び交う磁気（交番磁場）を応用したものである。交流磁気治療器の出力する磁束密度（ガウス）は、治療効果の指針となっている。すなわち、出力されるガウスが高いほど、一般的に治療効果は高いものとされる。しかしながら、日本国内において、家庭用交流磁気治療器は、厚生労働省が認証基準を設けており、出力レベルが３５〜１８０ｍＴの範囲内でないといけない、とされている。そのため、家庭用交流磁気治療器の効果を最大限に発揮させるためには、１８０ｍＴを超えないように、しかし、１８０ｍＴに可能な限り近づける必要がある。
【０００３】
電磁石の出力ガウスの調整は、コイル及びコア体の素材、コイルの太さ、巻き数等の変更によっても可能であるが、コア体の形状を変更することでも可能である。具体的には、図５に示す交流磁気治療器５１のように、コア体５２の被処置体に最も近づく部位４３を極力尖らせ、先端面積を小さくすることで、コイル５４から発生する磁場を一点に集中させ、その部位におけるガウスを高める、という方法がとられることがある。家庭用交流磁気治療器の場合、このように先端が尖った形状であると、使用者の皮膚を傷つけるおそれがあるため、通常、コア体５２の先端と被処置体との間に、通常厚さ０．３ｍｍ以上のケーシング（図５中ではアッパーケース５５及びロアーケース５６）が設けられる。
【先行技術文献】
【特許文献】
【０００４】
【特許文献１】特開２０１２−１０１００１号公報
【発明の概要】
【発明が解決しようとする課題】
【０００５】
しかしながら、図４に示す従来例のように、コア体と被処置体との間にケーシングを設けることにより、ケーシングの外側に出力されるガウスが低減してしまう、という問題があった。そのため、より高いガウスを得る、という当初の目的を十分に達成できない可能性があった。
【０００６】
したがって、かかる事情に鑑みてなされた本発明の目的は、ケーシングの影響を受けることなく、より高い治療効果が得られる、交流磁気治療器を提供することにある。
【課題を解決するための手段】
【０００７】
上述した諸課題を解決すべく、本発明の交流磁気治療器は、コイル及び磁性物質で形成されたコア材を備え、前記コア体は、少なくとも２つの部材、第１部材及び第２部材を備え、前記第１部材は略円柱または略多角柱の支柱部分を有し、該支柱部分の側壁周囲に前記コイルが巻かれ、前記支柱部分うち一方の頂面が使用時に最も被処置体に近接するよう構成され、該被処置体に近接する方の頂面が略半球状の凹部となっており、前記第２部材は、略球体または多面体であり、前記多面体は１２以上の面を有し、中心から各頂点までの距離が略一致し、全ての角が鈍角であり、前記第２部材は、前記第１部材の凹部内に、その一部が第１部材の凹部から被処置体側に露出し、凹部内で自転可能な状態で装填されている、ことを特徴とする。
なお、本明細書における「交流磁気」の用語は、直流電流を変換して得られる交流磁気も含むものとする。
【０００８】
上記の交流磁気治療器によれば、コア体の中で最も被処置体（人体）に近接するのは、略球体または多面体の第２部材となる。第２部材が略球体の場合、その先端が被処置体を傷つける危険性は極めて小さい。また、上記多面体は、中心から各頂点までの距離が略一致し、１２以上の面を有する、すなわち、面の数が多いほど、球体に近い形状となる。面の数が１２以上で、かつ、多面体の各頂点が鈍角であると、第２部材の先端は鋭利なものとならず、この場合も、被処置体を傷つける危険性は極めて小さいといえる。しかし、略球体においても、Ｎ面体においても、その最も被処置体側に位置するのは、一点または一辺といった、極めて面積の小さい部位であるため、電磁石コイルで発生した磁場を高く集中させることが可能である。
加えて、第２部材は、一部がコイルを巻き回された第１部材の凹部内に装填されているため、コイルの発する磁場の影響を直接受け、その被処置体側の先端にも相当高いガウスを与えることが可能である。
さらに、第２部材は第１部材と独立しており、かつ、第１部材と第２部材との間に適度な空隙を有することで、第２部材は第１部材の凹部中で自転回転することが可能である。被処置体に第２部材が直接触れる場合においては、第２部材（回転体）の回転により、被処置体に対する指圧・マッサージ効果を有する。
【０００９】
本発明の交流磁気治療器の一実施形態は、さらにケーシングを備え、前記ケーシングは、前記コア体の第２部材の一部が、被処置体に接する面側からケーシング外部に露出するように形成された開口部を有し、前記開口部の最大口径が前記第２部材の最小径より小さい。
交流磁気治療器の外観、使用感を向上させるために、ケーシングを備えることが好ましいが、前述のように、コア体と被処置体との間にケーシングが存在すると、その効果が低くなる恐れがある。上記の交流記事治療器においては、ケーシングが開口部を有し、該開口部からコア体の第２部材が外部に露出する構造となっているため、ケーシングによるガウスの低減が生じにくい。また、該開口部の口径は第２部材の径より小さいため、第２部材が第１部材から離脱するのを防止するストッパーの役割を果たす。そのため、第１部材と第２部材とを接続する部材を別に設ける必要がない。
【００１０】
本発明の交流磁気治療器における、前記コア体の第１部材と第２部材との間には、潤滑剤または潤滑シートを有することが好ましい。
別体で形成されたコア体の第１部材と第２部材との間の空隙に潤滑剤または潤滑シートを配することにより、回転体たる第２部材の回転を円滑にすることが可能である。
【００１１】
本発明の交流磁気治療器の他の実施形態は、第１部材、これに巻き回されるコイル、及びこれに装填された第２部材をそれぞれ複数有する。
コイル、第１部材及び第２部材を複数配することで、より広い範囲の治療が可能となる。
【発明の効果】
【００１２】
本発明の交流磁気治療器によれば、ケーシングの影響を受けることなく、より高い治療効果が得られる、交流磁気治療器を提供することが可能である。
【図面の簡単な説明】
【００１３】
【図１】本発明の第一実施形態に係る交流磁気治療器の外観斜視図である。
【図２】本発明の第一実施形態に係る交流磁気治療器のコイル軸方向断面図である。
【図３】本発明の第二実施形態に係る交流磁気治療器のコイル軸方向断面図である。
【図４】本発明の第三実施形態に係る交流磁気治療器のコイル軸方向断面図である。
【図５】従来の交流磁気治療器の一例を示すコイル軸方向断面図である。
【図６】本発明の第四実施形態に係る交流磁気治療器のコイル軸方向断面の一部拡大図である。
【発明を実施するための形態】
【００１４】
以下、本発明の実施形態について、図面を参照して説明する。なお、各実施形態について、下記で詳細に説明するが、本発明は下記の記載の範囲内のみに限定されるものではない。
【００１５】
＜第一実施形態＞
まず、本発明の第一実施形態に係る磁気治療器について説明する。図１は交流磁気治療器の外観斜視図であり、図２は本実施形態に係る交流磁気治療器のコイル軸方向断面図である。
【００１６】
交流磁気治療器１１は、コア体の第１コア部材１２及び第２コア部材１３、コイル１４、ボビン１７及びケーシング（図中ではアッパーケース１５及びロアーケース１６）を有する。第１コア部材１２は、その側面にコイル１４が巻かれる略円柱、または略角柱の形状、最も好ましくは円柱形状の支柱部分を有する。第１コア部材１２は、コイル１４が巻かれる支柱部分のみでもよいが、よりガウスを高めるため、図２に示すようなポット型の形状とすることがより好ましい。
【００１７】
第１コア部材及び第２コア部材の２つの部材を有するコア体の材料としては、磁性物質が使用される。使用される磁性物質は、磁性を有しているものであれば特に限定されるものではないが、軟磁性物質が適しており、具体的には、鉄、パーマロイ、ソフトフェライト、センダスト、パーメンジュール、アモルファス、珪素鋼等を好適に使用できる。これらの磁性物質は単独で用いてもよく、複数種を混合して用いてもよい。また、第１コア部材１２と第２コア部材１３とは、同じ磁性物質材料で形成されていてもよく、また、異なる磁性物質材料で形成されていてもよい。
【００１８】
図２において、上側が被処置体、すなわち被処置体に接する側の面となるが、第１コア部材１２の支柱部分の被処置体側の頂面が、略半球状の凹部になっている。図示例では、凹部は半球状（中心角１８０°）となっているが、これに限られるものではない。例えば、凹部の中心角が１２０〜２４０°の範囲内であれば、十分に本発明の目的を達成し得る。
【００１９】
前記第１コア部材１２の凹部には、第２コア部材１３が装填される。第２コア部材１３は、略球状または多面体の形状である。ここでいう多面体は、面の数が１２以上であり、中心から各頂点までの距離が略一致する。この場合、面の数が多くなるほど、球体に近い形状となる。第２コア部材１３は、前記第１コア部材の凹部に装填可能であり、かつ、装填時にその上部が凹部より外部に露出し、かつ、該凹部内で自転回転が可能な程度の大きさとする。第２コア部材１３が第１コア部材１２の凹部内に隙間なくピッタリと装填されると第２コア部材の自転回転が不可能となるため、両部材内には適度な空隙を要する。第２コア部材１３の装填状態は、図示例のように、後述のケーシングで第２コア部材１３を押さえる形で保持されてもよいが、磁性に影響を与えず、かつ、第２コア部材の回転性を損なわないように、例えば第１コア部材１２と第２コア部材１３とをともに貫通する金属性回転軸を設ける（図示せず）等の別の方法で保持されてもよい。
【００２０】
第２コア部材の形状は、略球状であっても、多面体であってもよいが、回転体として、被処置体への指圧・マッサージ効果を高めるためには、適度な角を有する多面体とすることがより好ましい。
【００２１】
図示例において、コイル１４は、ボビンを介して第１コア部材に巻かれているが、ボビン１７の使用を省略してボビンレスコイルを使用してもよい。
【００２２】
本発明の交流磁気治療器は、その外観、使用感を高めるため、コア材を包摂するケーシングを設けることが好ましい。図示例において、ケーシングはアッパーケース１５、ロアーケース１６に分かれているが、両部材が一体となっていてもよい。ケーシングの素材としては、磁性に影響を与えにくく、加工が容易なものであれば特に限定されないが、特に、ポリエチレン、ポリプロピレン、ポリ塩化ビニル、ポリスチレン、ポリエチレンテレフタラート、ポリエステル、エチレン−酢酸ビニル共重合体（ＥＶＡ）、ナイロン、ＡＢＳ、ポリカーボネート、ポリエーテルイミド、テフロン（登録商標）、等の樹脂を好適に使用できる。また、鉄、アルミニウム等の金属材料、木材、繊維等を使用してもよい。ケーシングの厚みは、交流磁気治療器の強度を保つ、第２コア部材１３を凹部内に保持する、等の目的を達成するため、０．３ｍｍ以上、特に０．３〜５．０ｍｍ、さらに２．０〜３．０ｍｍとすることが好ましい。
【００２３】
図示例において、アッパーケース１５の上面（被処置体側面）の第２コア部材１３当接位置に円形の開口が設けられている。ここで開口の最大径は、第２コア部材１３の最小径よりも小さく構成されている。これにより、第２コア部材１３が開口から外部へ飛び出すことなく、第１コア部材１２の凹部に装填された状態が維持される。
このような構成とすることで、別の部材を設けることなく、簡易に第２コア部材を定位置に保持することが可能となる。
【００２４】
第２コア部材の回転を円滑にするため、第１コア部材１２と第２コア部材１３との間には、潤滑剤１８または潤滑シート（図示せず）を設けることが好ましい。特に、第１コア部材と第２コア部材との間には、前述のように適度な空隙が存在し、この空隙が第２コア部材１３先端のガウス低減の要因となり得るため、この空隙を補てんする潤滑剤１８または潤滑シートとしては、導電性粒子または磁性粒子を含むものを好適に使用できる。潤滑剤としては、水溶性のグリース状またはジェル状のものを好適に使用でき、被処置体に付着しても害のないものが好ましく、導電性粒子または磁性粒子の他に、例えば、セルロース、ワセリン、シリコーン等を含むものが好ましい。潤滑シートとしては、例えば、セルロースバインダ等を使用したシート、ワセリンシート、シリコーンシート等が使用できる。さらに、潤滑剤は、被処置体、すなわち人体に対してそれ自体が治療的効果を奏する成分を含有していてもよい。上記成分としては、例えば、サリチル酸メチル、ｄｌ−カンフル、ｌ−メントール、唐辛子エキス等が挙げられる。
【００２５】
＜第二実施形態＞
本発明の交流磁気治療器の第二実施形態を図３に示す。第二実施形態の交流磁気治療器３１は、第一実施形態と同様に、コア体の第１コア部材３２及び第２コア部材３３、コイル３４、ボビン３７、潤滑剤３８及びケーシング（図中ではアッパーケース３５及びロアーケース３６）を有する。
【００２６】
第二実施形態は、全体の形状を細長い棒状としたこと、被処置体側面を被処置体側に凸な略半球形状とすること以外は、第一実施形態と同様の構成である。このように、被処置体側に凸な棒状とすることで、磁気治療器としての効果に加え、指圧棒としての効果を奏することができる。
【００２７】
＜第三実施形態＞
本発明の交流磁気治療器の第三実施形態の図４に示す。第三実施形態の交流磁気治療器４１は、第一実施形態と同様に、コア体の第１コア部材４２及び第２コア部材４３、コイル４４、ボビン４７、潤滑剤４８及びケーシング（図中ではアッパーケース４５及びロアーケース４６）を有する。
【００２８】
第三実施形態は、第１コア部材４２、第１コア部材４２に巻かれるコイル４４（図示例ではボビン４７（省略可）を使用）、及び第１コア部材４２に装填される第２コア部材４３を複数組有すること以外は、第一実施形態と同様の構成である。このように、コア体、コイルを複数有することで、被処置体のより広い範囲についての治療が可能となる。
【００２９】
＜第四実施形態＞
本発明の第四実施形態の交流磁気治療器においては、図６に示すように、多面体の第２コア部材６３が、第１コア部材６２と、ケーシングのアッパーケース６５の間に配置される。ここで、アッパーケース６５は、被処置体側開口部から内側に突出する切欠内空半球状の突起を有し、第１コア部材６２とともに略切欠球状の空洞を形成し、該空洞内に多面体の第２コア部材が、その一部が前記開口部から被処置体側に露出するように配置される。好ましくは、該空洞内には、潤滑剤６８または潤滑シートが配置される。このような構成とすることで、多面体を回転させることによる交流磁気治療器内のガタつきを抑えることができる。
【符号の説明】
【００３０】
１１，３１，４１，５１…交流磁気治療器
１２，３２，４２，５２，６２…第１コア部材
１３，３３，４３，５３，６３…第２コア部材
１４，３４，４４，５４，６４…コイル
１５，３５，４５，５５，６５…アッパーケース
１６，３６，４６，５６…ロアーケース
１７，３７，４７，５７…ボビン
１８，３８，４８，６８…潤滑剤。
【要約】
【課題】ケーシングの影響を受けることなく、より高い治療効果が得られる、交流磁気治療器を提供する。
【解決手段】コイル及び磁性物質で形成されたコア材を備え、前記コア体は、少なくとも２つの部材、第１部材及び第２部材を備え、前記第１部材は略円柱または略多角柱の支柱部分を有し、該支柱部分の側壁周囲に前記コイルが巻かれ、前記支柱部分のうち一方の頂面が使用時に最も被処置体に近接するよう構成され、該被処置体に近接する方の頂面が略半球状の凹部となっており、前記第２部材は、略球体または多面体であり、前記多面体は１２以上の面を有し、中心から各頂点までの距離が略一致し、全ての角が鈍角であり、前記第２部材は、前記第１部材の凹部内に、その一部が第１部材の凹部から被処置体側に露出し、該凹部内で自転可能な状態で装填されている、ことを特徴とする交流磁気治療器。
【選択図】図２【図１】
0005566488.tif 000002
【図２】
0005566488.tif 000003
【図３】
0005566488.tif 000004
【図４】
0005566488.tif 000005
【図５】
0005566488.tif 000006
【図６】
0005566488.tif 000007